(57)【要約】【課題】  高い排水効率を維持すると共に、排水溝に残る廃棄物などを確実に排除するために、排水溝の底部全面が目視可能な構造を有する排水ユニットを提供する。【解決手段】  排水溝の底部が半パイプ状で、該底部に続く両側壁の上部が排水溝の長手方向に沿って開口する溝口を形成すると共に、該溝口は排水溝底部の半パイプ径と同一幅かそれより広く形成されている排水ユニット。【選択図】  図３
2005307473.tif 000002
【特許請求の範囲】
【請求項１】
床下に埋設される排水溝と該排水溝に被せる排水蓋とからなり、床上を流れる排水を排水蓋および排水溝を通して外部に排出するようにした排水ユニットであって、前記排水溝は底部が半パイプ状で底部に続く両側壁からなり、該両側壁の上部が排水溝の長手方向に沿って開口する溝口を形成すると共に、該溝口は排水溝底部の半パイプ径と同一幅かそれより広く形成し、排水溝の両側壁上端に排水蓋受枠が一体成形され、該排水蓋受枠に前記排水蓋が載置されていることを特徴とする排水ユニット。
【請求項２】
排水溝は、基礎上にレベル調整支持部材により固定されることを特徴とする請求項１に記載の排水ユニット。
【発明の詳細な説明】
【技術分野】
【０００１】
本発明は、厨房や浴場および食品加工場など有機性廃棄物の排出される場所の床下に埋設される排水ユニットに関するものである。
【背景技術】
【０００２】
従来、厨房や浴場および食品加工場など有機性廃棄物の排出される排水路装置として、コンクリート製の排水溝に代わり環境衛生に優れたものが種々提案されている。特に特開平９−２１７４０２号の発明においては、その特許公報の図１に示すように、コンクリートの床下にパイプ状の排水溝本体を埋設し、この排水溝本体の上部に床面に開口する排水溝口を有し、排水溝口に排水蓋を取り付けた排水路装置が提案されている（特許文献１）。
しかし、上記特開平９−２１７４０２号の発明においては、埋設されるパイプの径より排水誘導路としての溝枠が幅狭に作られているため、排水蓋を外して溝底を見ても、パイプの開口部の一部が陰となり、その部分にはりついた黒ずみや細菌類を完全に取り除くことができない。
【特許文献１】特開平０９−２１７４０２号公報
【発明の開示】
【発明が解決しようとする課題】
【０００３】
本発明は、前記の実情を考慮してなされたものであり、十分な排水効率を確保すると共に、排水溝に残る有機性廃棄物から発生する種々の細菌類を確実に排除するために、排水溝の溝底部全面が目視可能な構造を有する排水ユニットを提供するものである。
【課題を解決するための手段】
【０００４】
本発明は、排水溝として、底部が半パイプ状で底部に続く両側壁からなり、該両側壁の上部が排水溝の長手方向に沿って開口する溝口を形成すると共に、該溝口は排水溝底部の半パイプ径と同一幅かそれより広く形成することにより、前記の課題を解決することができたのである。
【０００５】
すなわち、本発明は、床下に埋設される排水溝と該排水溝に被せる排水蓋とからなり、床上を流れる排水を排水蓋および排水溝を通して外部に排出するようにした排水ユニットであって、前記排水溝は底部が半パイプ状で底部に続く両側壁からなり、該両側壁の上部が排水溝の長手方向に沿って開口する溝口を形成すると共に、該溝口は排水溝底部の半パイプ径と同一幅かそれより広く形成し、排水溝の両側壁上端に排水蓋受枠が一体成形され、該排水蓋受枠に前記排水蓋が載置されていることを特徴とする排水ユニットである。
そして、上記排水溝は、基礎上レベル調整支持材により固定されているのが好ましい。
【発明の効果】
【０００６】
本発明によれば、高い排水効率を維持しながら、作業員の歩行や台車の走行を妨げることなく排水することができ、その清掃において特にゴミや汚れが残されがちな排水溝から、ぬめりや汚れをほぼ完全に取り除くことができ、ばい菌や細菌類の発生を未然に防ぐことができる。
【発明を実施するための最良の形態】
【０００７】
本発明の排水ユニットは、厨房、浴場、食品加工場など有機廃棄物の排出される場所の床下に埋設されるものであるから、常に高い排水効率を維持し、清掃が容易で清潔に維持できることが必要である。そのために、本発明においては、排水溝として、底部が半パイプ状で底部に続く両側壁からなり、該両側壁の上部が排水溝の長手方向に沿って開口する溝口を形成すると共に、該溝口は排水底部の半パイプ径と同一幅かそれより広く成形するようにした。
この構成によれば、排水溝の底部全面が目視できるので、排水溝の清掃を容易に行うことができ、常に高い排水効率を維持すると共に、清潔に維持して衛生的環境を保持することができる。
【実施例】
【０００８】
本発明の実施例を図面に基づいて具体的に説明する。
本実施例は、厨房に設備した場合を示し、図１は排水ユニットおよび集水枡の床面配置図、図２は排水経路の縦断面図、図３はその横断面図である。
図１に示すように、厨房の床下に本発明の排水ユニット１が配設されており、その下流の先端には集水枡８が設けられていて、厨房の床を流れる排水は排水ユニット１に流れ込んだ後、図２に示すように、その排水ユニットの底部の勾配により集水枡に流れ、その後、排水パイプにより外部へ排出される。
【０００９】
排水ユニット１は、図２および図３に示すように、排水溝２と該排水溝２に覆い被せられた排水蓋７とで構成されている。
排水溝２は、全体がステンレス鋼板で形成されており、半パイプ状に形成された底部３と、該底部３に続く両側壁４からなり、該両側壁４の上部が排水溝２の長手方向に沿って開口する溝口５を形成している。そして、前記溝口５は、排水溝２の底部３の半パイプ径と同一幅かそれより広く形成し、溝口５から底部３の全面が目視できるように形成されている。
【００１０】
両側壁４の上端には、排水蓋７を支持する溝蓋受枠６が一体に成形され、溝蓋受枠６のＬ字形に形成された部分において、排水蓋７を着脱自在に載置できるようにしている。
排水ユニット１は、支持部材９と補強材１２により設置されている。支持部材９は、断面がアングル状に屈曲した板状体からなり、その上部に排水溝２の外側が嵌合する形状に形成され、この部分で排水ユニット１に溶接されている。この支持部材９は、排水ユニット１の長さに対応して適宜の間隔で複数設けるのが好ましい。
【００１１】
支持部材９には高さ調整ボルト１０が設けられており、この調整ボルト１０を操作することにより、排水ユニット１の上面が床面と面一になるように高さを調整し、また、調整ボルト１０に設けたアンカーボルト１１でコンクリートに固定する。
この調整ボルト１０を使用することにより、床面と排水ユニット１の上面を容易に面一にすることができる。
排水ユニット１が長尺の場合には、中間部に支持部材９とほぼ同様の板状体からなる補強材１２を溶接すると共に、補強材１２にアンカーバー１３を溶接接続して、これを躯体側の鉄筋１４に溶接固定する。
排水ユニット１を床面下部に設置した後、排水ユニット１の溝蓋受枠６に排水蓋７を縦列に載置する。
【００１２】
厨房などで床面に散逸した生ゴミを含むゴミ類は、箒や放水などにより排水溝に掃き出される。比較的大きなゴミは排水蓋７によって該排水蓋７上に取り除かれ、それ以外の小さいゴミや汚水は、排水ユニット１の中に流れ込む。排水ユニット１はその底部が半円形状のため、流れ込んだゴミ類や汚水は、その底部３の勾配に沿ってスムーズに下流へ流され、接続された集水枡８へと流れ込む。集水枡８に流れ込んだゴミ類や汚水は、集水枡８に設置されている網カゴ１５で固形物が取り除かれ、さらに、小さなゴミや汚水が排水パイプ１６へ流されて外部へ排出される。
その後、清掃時には排水蓋７を取り外して、全面的に開放された排水ユニット１の内部のぬめりや汚れを洗い流し、雑巾などで拭き取る。
【産業上の利用可能性】
【００１３】
床下に埋没された排水溝の底部全体が溝口から目視できるので、排水溝の清掃が容易で、特にゴミや汚れが残されがちな排水溝から、ぬめりや汚れを完全に取り除くことができ、細菌類の発生を未然に防ぎ、常に高い排水効率を維持すると共に、清潔に維持して衛生的環境を保持することができることから、厨房、浴場、食品加工場などに利用可能性が高い。
【図面の簡単な説明】
【００１４】
【図１】排水ユニットおよび集水枡の床面配置図である。
【図２】排水経路の縦断面図である。
【図３】排水経路の横断面図である。
【符号の説明】
【００１５】
１  排水ユニット
２  排水溝
３  底部
４  側壁
５  溝口
６  溝蓋受枠
７  排水蓋
８  集水枡
９  支持部材
１０  高さ調整ボルト
１１  アンカーボルト
１２  補強材
１３  アンカーバー
１４  鉄筋
１５  網カゴ
１６  排水パイプ
【図１】
2005307473.tif 000003
【図２】
2005307473.tif 000004
【図３】
2005307473.tif 000005